(57)【要約】【課題】シート発行装置にセットするだけで印字レイアウトに従って情報を印字するとともに、予め決められたエンコードレイアウトに従って情報を書き込む。【解決手段】ＩＣモジュール４が内蔵され、ＩＣモジュール４に予め決められたエンコードレイアウトに従ってエンコード情報が書き込まれるとともに、予め決められた印字レイアウトに従って印字情報が印字されるＲＦ−ＩＤシートにおいて、ＩＣモジュール４に、エンコードレイアウト及び印字レイアウトに関する情報を書き込んでおき、ＲＦ−ＩＤシートを発行するシート発行装置において、ＩＣモジュール４に書き込まれた情報を読み出し、読み出した情報に従ってエンコード情報を編集してＩＣモジュール４に書き込み、また、読み出した情報に従って印字情報を編集してＲＦ−ＩＤシート１に印字する。【選択図】　図１
2004046689.tif 000002
【特許請求の範囲】
【請求項１】
非接触状態にて情報の書き込み及び読み出しが可能なＩＣモジュールが内蔵され、該ＩＣモジュールに予め決められたエンコードレイアウトに従ってエンコード情報が書き込まれるとともに、予め決められた印字レイアウトに従って印字情報が印字されるＲＦ−ＩＤシートにおいて、
前記ＩＣモジュールには、前記エンコードレイアウト及び／または印字レイアウトに関する情報が書き込まれていることを特徴とするＲＦ−ＩＤシート。
【請求項２】
請求項１に記載のＲＦ−ＩＤシートを発行するシート発行装置であって、
前記ＩＣモジュールに対する情報の書き込み及び読み出しを行う情報読出／書込手段と、
前記ＲＦ−ＩＤシートに前記印字情報を印字する印字手段と、
前記情報読出／書込手段にて前記ＩＣモジュールから前記エンコードレイアウトに関する情報が読み出された場合に該エンコードレイアウトに関する情報に従って前記エンコード情報を前記情報読出／書込手段によって前記ＩＣモジュールに書き込み、前記前記情報読出／書込手段にて前記ＩＣモジュールから前記印字レイアウトに関する情報が読み出された場合に該印字レイアウトに関する情報に従って前記印字情報を前記印字手段によって前記ＲＦ−ＩＤシートに印字する制御手段とを有することを特徴とするシート発行装置。
【請求項３】
非接触状態にて情報の書き込み及び読み出しが可能に構成され、識別可能となる識別情報が書き込まれたＩＣモジュールが内蔵され、該ＩＣモジュールに予め決められたエンコードレイアウトに従ってエンコード情報が書き込まれるとともに、予め決められた印字レイアウトに従って印字情報が印字されるＲＦ−ＩＤシートを発行するシート発行装置であって、
前記ＩＣモジュールに対する情報の書き込み及び読み出しを行う情報読出／書込手段と、
前記ＲＦ−ＩＤシートに前記印字情報を印字する印字手段と、
前記エンコードレイアウト及び／または前記印字レイアウトに関する情報が前記識別情報に対応づけられて記憶された記憶手段と、
前記情報読出／書込手段にて前記ＩＣモジュールから読み出された識別情報に対応づけられて前記エンコードレイアウトに関する情報が前記記憶手段に記憶されている場合に該エンコードレイアウトに関する情報に従って前記エンコード情報を前記情報読出／書込手段によって前記ＩＣモジュールに書き込み、前記前記情報読出／書込手段にて前記ＩＣモジュールから読み出された識別情報に対応づけられて前記印字レイアウトに関する情報が前記記憶手段に記憶されている場合に該印字レイアウトに関する情報従って前記印字情報を前記印字手段によって前記ＲＦ−ＩＤシートに印字する制御手段とを有することを特徴とするシート発行装置。
【発明の詳細な説明】
【０００１】
【発明の属する技術分野】
本発明は、非接触状態にて情報の書き込み及び読み出しが可能なＩＣモジュールが内蔵されたタグやラベル、カード等のＲＦ−ＩＤシート及びこれを発行するシート発行装置に関する。
【０００２】
【従来の技術】
近年、情報化社会の進展に伴い、カード等の情報記録媒体に情報を記録し、この情報記録媒体を用いて来場管理や物品管理等の様々な情報処理が行われている。
【０００３】
このような情報処理に用いられる情報記録媒体としては、タグやラベル、あるいはカード等がその一例として挙げられるが、中でも、非接触状態にて情報の書き込み及び読み出しが可能なＩＣモジュールが内蔵されたタグやラベル、カード等のシートは、取り扱いの便利さから多くの分野で利用され始めている。
【０００４】
図７は、非接触状態にて情報の書き込み及び読み出しが可能なＩＣモジュールが内蔵されたＲＦ−ＩＤシートの一例を示す図である。
【０００５】
図７に示すように本従来例においては、同種のＲＦ−ＩＤシートには同一の情報が同一のレイアウトで予め印字されたプレ印刷領域５０２と、ＲＦ−ＩＤシート毎に個別の情報が印字される個別情報印刷領域５０３とが設けられており、また、個別情報印刷領域５０３に印字された情報等の所定の情報が書き込まれ、非接触状態にて情報の書き込み及び読み出しが可能なＩＣモジュール５０４が内蔵されて構成されている。
【０００６】
上記のように構成されたＲＦ−ＩＤシート５０１を発行する場合は、個別情報印刷領域５０３に印字される情報とＩＣモジュール５０４に書き込む情報とを、ＲＦ−ＩＤシート５０１を発行するシート発行装置に与えておくとともに、ＲＦ−ＩＤシート５０１の形状や個別情報印刷領域５０３のレイアウトに関する情報をシート発行装置にて予め設定しておく。その後、プレ印刷領域５０２に印字が施されたＲＦ−ＩＤシート５０１をシート発行装置にセットすると、個別情報印刷領域５０３に所定の情報が印字されるとともに、ＩＣモジュール５０４に所定の情報が書き込まれる。
【０００７】
このように、ＲＦ−ＩＤシート５０１を発行するシート発行装置においては、ＲＦ−ＩＤシート５０１の形状や個別情報印刷領域５０３のレイアウトに関する情報に従って、個別情報印刷領域５０３に所定の情報が印字されることになるため、異なる種類のＲＦ−ＩＤシート５０１を発行する場合、ＲＦ−ＩＤシート５０１の種類毎にＲＦ−ＩＤシート５０１の形状や個別情報印刷領域５０３のレイアウトに関する情報を設定しておき、個別情報印刷領域５０３に印字を行うことになる。
【０００８】
また、ＩＣモジュール５０４に対して情報を書き込む際のエンコードレイアウトについても、ＲＦ−ＩＤシート５０１の種類毎に異なるため、ＲＦ−ＩＤシート５０１毎にシート発行装置にて予め設定しておく必要がある。
【０００９】
【発明が解決しようとする課題】
上述したような従来のＲＦ−ＩＤシートにおいては、ＲＦ−ＩＤシートを発行するシート発行装置にて予め設定されたＲＦ−ＩＤシートの形状や個別情報印刷領域における印字レイアウトに従って所定の情報の印字が行われたり、予め設定されたエンコードレイアウトに従ってＩＣモジュールに情報が書き込まれたりするため、１つのシート発行装置にて異なる種類のＲＦ−ＩＤシートを発行する場合、オペレータが、発行するＲＦ−ＩＤシート毎に、このＲＦ−ＩＤシートの形状や個別情報印刷領域における印字レイアウト、あるいは、ＩＣモジュールに情報を書き込む際のエンコードレイアウトを設定しなければなれず、手間と時間がかかってしまうという問題点がある。
【００１０】
また、ＲＦ−ＩＤシートの種類毎にシートフィーダ部を設け、そのシートフィーダ部毎に、上述したような情報を予め設定しておくことが考えられるが、ＲＦ−ＩＤシートの種類の数だけのシートフィーダ部が設けられることになるため、シート発行装置が大型化してしまうという問題点がある。
【００１１】
また、ＲＦ−ＩＤシートに情報を印字するプリンタ装置を、ＲＦ−ＩＤシートの種類の数だけ設け、これらのプリンタ装置に接続された上位装置にてプリンタ装置毎の印字を制御することが考えられるが、その場合においても、上位装置を操作するオペレータが、ＲＦ−ＩＤシートに印字を行うプリンタ装置を選択する等の操作を行う必要があり、手間がかかってしまうという問題点がある。また、プリンタ装置の数に応じてその分のコストアップが生じてしまうとともに、プリンタ装置を設置するためのスペースを設けなければならないという問題点がある。
【００１２】
本発明は、上述したような従来の技術が有する問題点に鑑みてなされたものであって、シート発行装置にセットするだけでその印字レイアウトに従って情報が印字されるとともに、予め決められたエンコードレイアウトに従って情報が書き込まれるＲＦ−ＩＤシート及びこれを発行するシート発行装置を提供することを目的とする。
【００１３】
【課題を解決するための手段】
上記目的を達成するために本発明は、
非接触状態にて情報の書き込み及び読み出しが可能なＩＣモジュールが内蔵され、該ＩＣモジュールに予め決められたエンコードレイアウトに従ってエンコード情報が書き込まれるとともに、予め決められた印字レイアウトに従って印字情報が印字されるＲＦ−ＩＤシートにおいて、
前記ＩＣモジュールには、前記エンコードレイアウト及び／または印字レイアウトに関する情報が書き込まれていることを特徴とする。
【００１４】
また、前記ＲＦ−ＩＤシートを発行するシート発行装置であって、
前記ＩＣモジュールに対する情報の書き込み及び読み出しを行う情報読出／書込手段と、
前記ＲＦ−ＩＤシートに前記印字情報を印字する印字手段と、
前記情報読出／書込手段にて前記ＩＣモジュールから前記エンコードレイアウトに関する情報が読み出された場合に該エンコードレイアウトに関する情報に従って前記エンコード情報を前記情報読出／書込手段によって前記ＩＣモジュールに書き込み、前記前記情報読出／書込手段にて前記ＩＣモジュールから前記印字レイアウトに関する情報が読み出された場合に該印字レイアウトに関する情報に従って前記印字情報を前記印字手段によって前記ＲＦ−ＩＤシートに印字する制御手段とを有することを特徴とする。
【００１５】
また、非接触状態にて情報の書き込み及び読み出しが可能に構成され、識別可能となる識別情報が書き込まれたＩＣモジュールが内蔵され、該ＩＣモジュールに予め決められたエンコードレイアウトに従ってエンコード情報が書き込まれるとともに、予め決められた印字レイアウトに従って印字情報が印字されるＲＦ−ＩＤシートを発行するシート発行装置であって、
前記ＩＣモジュールに対する情報の書き込み及び読み出しを行う情報読出／書込手段と、
前記ＲＦ−ＩＤシートに前記印字情報を印字する印字手段と、
前記エンコードレイアウト及び／または前記印字レイアウトに関する情報が前記識別情報に対応づけられて記憶された記憶手段と、
前記情報読出／書込手段にて前記ＩＣモジュールから読み出された識別情報に対応づけられて前記エンコードレイアウトに関する情報が前記記憶手段に記憶されている場合に該エンコードレイアウトに関する情報に従って前記エンコード情報を前記情報読出／書込手段によって前記ＩＣモジュールに書き込み、前記前記情報読出／書込手段にて前記ＩＣモジュールから読み出された識別情報に対応づけられて前記印字レイアウトに関する情報が前記記憶手段に記憶されている場合に該印字レイアウトに関する情報従って前記印字情報を前記印字手段によって前記ＲＦ−ＩＤシートに印字する制御手段とを有することを特徴とする。
【００１６】
（作用）
上記のように構成された本発明においては、ＲＦ−ＩＤシートに内蔵されたＩＣモジュールに、該ＩＣモジュールにエンコード情報を書き込む際のエンコードレイアウト及び当該ＲＦ−ＩＤシートの印字領域における印字レイアウトに関する情報が書き込まれており、このＲＦ−ＩＤシートに印字情報を印字するとともにＩＣモジュールにエンコード情報を書き込む場合は、ＩＣモジュールに書き込まれたエンコードレイアウト及び印字レイアウトに関する情報が読み出され、エンコードレイアウトに従ってエンコード情報が編集されてＩＣモジュールに書き込まれ、また、印字レイアウトに従って印字情報が編集されてＲＦ−ＩＤシートに印字される。
【００１７】
これにより、ＲＦ−ＩＤシートをシート発行装置にセットするだけでその印字レイアウトに従って印字情報がＲＦ−ＩＤシートに印字されるとともに、エンコードレイアウトに従ってエンコード情報が編集されてＩＣモジュールに書き込まれる。
【００１８】
また、ＲＦ−ＩＤシートに内蔵されたＩＣモジュールに該ＩＣモジュールを識別可能な識別情報が書き込まれているとともに、ＲＦ−ＩＤシートを発行するシート発行装置において、識別情報に対応づけられてエンコードレイアウト及び印字レイアウトに関する情報が記憶されている場合においては、このＲＦ−ＩＤシートに印字情報を印字するとともにＩＣモジュールにエンコード情報を書き込む場合は、ＩＣモジュールに書き込まれたＲＦ−ＩＤシートを識別可能な識別情報が読み出され、この識別情報に対応づけられて記憶されたエンコードレイアウトに従ってエンコード情報が編集されてＩＣモジュールに書き込まれ、また、識別情報に対応づけられた記憶された印字レイアウトに従って印字情報が編集されてＲＦ−ＩＤシートに印字されるので、上記同様に、ＲＦ−ＩＤシートをシート発行装置にセットするだけでその印字レイアウトに従って印字情報がＲＦ−ＩＤシートに印字されるとともに、エンコードレイアウトに従ってエンコード情報が編集されてＩＣモジュールに書き込まれる。
【００１９】
【発明の実施の形態】
以下に、本発明の実施の形態について図面を参照して説明する。
【００２０】
（第１の実施の形態）
図１は、本発明のＲＦ−ＩＤシートの第１の実施の形態を示す図である。
【００２１】
図１に示すように本形態においては、同種のＲＦ−ＩＤシートには同一の情報が同一のレイアウトで予め印字されたプレ印刷領域２と、ＲＦ−ＩＤシート毎に個別の情報が印字される個別情報印刷領域３とが設けられており、また、ＲＦ−ＩＤシートのサイズや個別情報印刷領域３における印字レイアウト、並びにＩＣモジュール４に情報を書き込む際のエンコードレイアウトが書き込まれているとともに、個別情報印刷領域３に印字された情報等の所定の情報がエンコードレイアウトに従って書き込まれ、非接触状態にて情報の書き込み及び読み出しが可能なＩＣモジュール４が内蔵されて構成されている。
【００２２】
以下に、上記のように構成されたＲＦ−ＩＤシート１の発行方法について説明する。
【００２３】
図２は、図１に示したＲＦ−ＩＤシート１を発行するシート発行装置の構成を示すブロック図である。
【００２４】
本形態におけるシート発行装置は図２に示すように、上位装置（不図示）とのインターフェース手段となるインターフェース部１０と、インターフェース部１０を介して受信された情報を記憶する記憶部２０と、ＲＦ−ＩＤシート１に対する情報の書き込み及び読み出しを行うリーダ／ライタ部３０と、ＲＦ−ＩＤシート１に情報を印字する印字部４０と、インターフェース１０を介して受信された情報を記憶部２０に書き込み、また、リーダ／ライタ部３０にてＲＦ−ＩＤシート１から読み出された情報に基づいて、記憶部２０に記憶された情報を、リーダ／ライタ部３０によってＲＦ−ＩＤシート１に書き込むとともに印字部４０によってＲＦ−ＩＤシート１に印字する制御部５０とから構成されている。
【００２５】
図３は、図２に示したシート発行装置における図１に示したＲＦ−ＩＤシート１の発行処理を説明するためのフローチャートである。
【００２６】
上位装置においては、ＲＦ−ＩＤシート１にエンコードすべき情報や印字すべき情報が管理されており、これらの情報が上位装置からシート発行装置に供給される。なお、これらの情報の上位装置からシート発行装置への供給は、例えば、通信回線を用いて行うことが考えられるが、フロッピーディスク等の情報記録媒体を介して行うことも考えられる。
【００２７】
上位装置から供給された情報は、シート発行装置のインターフェース部１０を介して受信され（ステップＳ１）、制御部５０における制御によって記憶部２０に記憶される（ステップＳ２）。ここで、上位装置から供給され、記憶部２０に記憶される情報とは、ＲＦ−ＩＤシート１を用いて来場管理や商品管理等の情報処理を行うために必要となる情報であって、ＲＦ−ＩＤシート１の種類やＲＦ−ＩＤシート１を所持する利用者の氏名等が考えられる。
【００２８】
その後、シート発行装置のリーダ／ライタ部３０において、ＲＦ−ＩＤシート１から、ＲＦ−ＩＤシート１のＩＣモジュール４に書き込まれた情報が読み出されると（ステップＳ３）、制御部５０において、記憶部２０に記憶された情報が、リーダ／ライタ部３０にてＲＦ−ＩＤシート１から読み出された情報に基づいて、抽出、編集される（ステップＳ４）。
【００２９】
ここで、ＲＦ−ＩＤシート１には、上述したように、ＲＦ−ＩＤシート１のサイズや個別情報印刷領域３における印字レイアウト、並びにＩＣモジュール４に情報を書き込む際のエンコードレイアウトが書き込まれており、これらの情報がリーダ／ライタ部３０にて読み出されることになる。
【００３０】
制御部５０においては、記憶部２０に記憶された情報の中から、ＲＦ−ＩＤシート１から読み出された情報に基づいて、個別情報印刷領域３に印字すべき印字情報や、ＩＣモジュール４に書き込むべきエンコード情報が抽出され、その後、ＲＦ−ＩＤシート１のサイズ及び個別情報印刷領域３における印字レイアウトに従って、個別情報印刷領域３に印字すべき印字情報が編集され、また、エンコードレイアウトに従って、ＩＣモジュール４に書き込むべきエンコード情報が編集されることになる。
【００３１】
制御部５０にて編集されたエンコード情報はリーダ／ライタ部３０にてＲＦ−ＩＤシート１のＩＣモジュール４に書き込まれ（ステップＳ５）、また、制御部５０にて編集された印字情報は印字部４０にてＲＦ−ＩＤシート１の個別情報印刷領域３に印字される（ステップＳ６）。
【００３２】
このように本形態においては、情報がエンコード、印字されるＲＦ−ＩＤシートのＩＣモジュールに、そのＲＦ−ＩＤシートのサイズ、印刷領域における印字レイアウト、並びにエンコードレイアウトが予め書き込まれており、ＲＦ−ＩＤシートを発行するシート発行装置において、これらの情報を読み出し、読み出された情報に基づいて、ＲＦ−ＩＤシートに情報がエンコード、印字されるので、ＲＦ−ＩＤシートをシート発行装置にセットするだけでそのサイズ及び印字レイアウトに応じて情報を印字することができるとともに、内蔵されるＩＣモジュールに予め決められたエンコードレイアウトで情報を書き込むことができる。
【００３３】
例えば、展示会等のイベントの受付時に、招待状に印字された二次元バーコードを読み取り、この二次元バーコードによって選択されるＲＦ−ＩＤシートを上述したシート発行装置にセットすることにより、来場者に応じた種類のＲＦ−ＩＤシートを発行することができる。また、荷物の発送時に、荷物のサイズや形状に応じてＲＦ−ＩＤシートを選択し、選択されたＲＦ−ＩＤシートを上述したシート発行装置にセットすることにより、貼付される荷物に種類のＲＦ−ＩＤシートを発行することができる。
【００３４】
また、本形態においては、ＲＦ−ＩＤシートのサイズ、印刷領域における印字レイアウト、並びにエンコードレイアウトが、ＲＦ−ＩＤシート１のＩＣモジュール４に書き込まれているが、これらの情報をＲＦ−ＩＤシート１に二次元バーコードにより印刷しておき、シート発行装置に内蔵あるいは接続されたバーコードリーダによってこの情報を読み取り、読み取った情報に基づいて、記憶部２０に記憶された情報をＲＦ−ＩＤシート１にエンコード及び印字することも考えられる。
【００３５】
また、本形態においては、ＲＦ−ＩＤシートのサイズ、印刷領域における印字レイアウト、並びにエンコードレイアウトが、ＲＦ−ＩＤシート１のＩＣモジュール４に書き込まれているが、使用方法によっては、ＲＦ−ＩＤシートのサイズ及び印刷領域における印字レイアウトが共通に決められたものであり、エンコードレイアウトのみが可変であることも考えられ、その場合は、ＩＣモジュール４には、エンコードレイアウトのみが書き込まれており、このエンコードレイアウトに関する情報が読み出され、読み出されたエンコードレイアウトに関する情報に従ってエンコード情報がＩＣモジュール４に書き込まれる。また、同様に、エンコードレイアウトが共通に決められたものであり、ＲＦ−ＩＤシートのサイズ及び印刷領域における印字レイアウトのみが可変であることも考えられ、その場合は、ＩＣモジュール４には、ＲＦ−ＩＤシートのサイズ及び印刷領域における印字レイアウトのみが書き込まれており、このＲＦ−ＩＤシートのサイズ及び印刷領域における印字レイアウトに関する情報が読み出され、読み出されたＲＦ−ＩＤシートのサイズ及び印刷領域における印字レイアウトに関する情報に従って印字情報がＲＦ−ＩＤシート１に印字される。
【００３６】
（第２の実施の形態）
図４は、本発明のＲＦ−ＩＤシートの第２の実施の形態を示す図である。
【００３７】
図４に示すように本形態においては、同種のＲＦ−ＩＤシートには同一の情報が同一のレイアウトで予め印字されたプレ印刷領域１０２と、ＲＦ−ＩＤシート毎に個別の情報が印字される個別情報印刷領域１０３とが設けられており、また、ＲＦ−ＩＤシートを識別可能なシートＩＤが書き込まれているとともに、個別情報印刷領域１０３に印字された情報等の所定の情報がエンコードレイアウトに従って書き込まれ、非接触状態にて情報の書き込み及び読み出しが可能なＩＣモジュール１０４が内蔵されて構成されている。
【００３８】
以下に、上記のように構成されたＲＦ−ＩＤシート１０１の発行方法について説明する。
【００３９】
図５は、図４に示したＲＦ−ＩＤシート１０１を発行するシート発行装置の構成を示すブロック図である。
【００４０】
本形態におけるシート発行装置は図５に示すように、上位装置（不図示）とのインターフェース手段となるインターフェース部１１０と、インターフェース部１１０を介して受信された情報のうち、ＲＦ−ＩＤシート１０１にエンコードすべき情報や印字すべき情報を記憶する記憶部１２１と、インターフェース部１１０を介して受信された情報のうち、ＲＦ−ＩＤシート１０１のサイズや個別情報印刷領域１０３における印字レイアウト、並びにＩＣモジュール１０４に書き込む際のエンコードレイアウトを記憶する記憶部１２２と、ＲＦ−ＩＤシート１０１に対する情報の書き込み及び読み出しを行うリーダ／ライタ部１３０と、ＲＦ−ＩＤシート１０１に情報を印字する印字部１４０と、インターフェース１１０を介して受信された情報を記憶部１２１，１２２に書き込み、また、リーダ／ライタ部１３０にてＲＦ−ＩＤシート１０１から読み出された情報に基づいて記憶部１２２内を検索し、記憶部１２２内から検索された情報に基づいて、記憶部１２１に記憶された情報を、リーダ／ライタ部１３０によってＲＦ−ＩＤシート１０１に書き込むとともに印字部１４０によってＲＦ−ＩＤシート１０１に印字する制御部１５０とから構成されている。
【００４１】
図６は、図５に示したシート発行装置における図４に示したＲＦ−ＩＤシート１０１の発行処理を説明するためのフローチャートである。
【００４２】
上位装置においては、ＲＦ−ＩＤシート１０１にエンコードすべき情報や印字すべき情報が管理されており、これらの情報が上位装置からシート発行装置に供給される。なお、これらの情報の上位装置からシート発行装置への供給は、例えば、通信回線を用いて行うことが考えられるが、フロッピーディスク等の情報記録媒体を介して行うことも考えられる。
【００４３】
上位装置から供給された情報は、シート発行装置のインターフェース部１１０を介して受信され（ステップＳ１１）、制御部１５０における制御によって記憶部１２１に記憶される（ステップＳ１２）。ここで、上位装置から供給され、記憶部１２１に記憶される情報とは、ＲＦ−ＩＤシート１０１を用いて来場管理や商品管理等の情報処理を行うために必要となる情報であって、ＲＦ−ＩＤシート１０１の種類やＲＦ−ＩＤシート１０１を所持する利用者の氏名等が考えられる。
【００４４】
また、上位装置においては、ＲＦ−ＩＤシート１０１のサイズや個別情報印刷領域１０３における印字レイアウト、並びにＩＣモジュール１０４に情報を書き込む際のエンコードレイアウトが管理されており、これらの情報が上位装置からシート発行装置に供給される。なお、これらの情報の上位装置からシート発行装置への供給においても、例えば、通信回線を用いて行うことや、フロッピーディスク等の情報記録媒体を介して行うことが考えられる。
【００４５】
上位装置から供給された情報は、シート発行装置のインターフェース部１１０を介して受信され（ステップＳ１３）、制御部１５０における制御によって記憶部１２２に記憶される（ステップＳ１４）。ここで、上位装置から供給され、記憶部１２２に記憶される情報においては、その情報を用いて情報がエンコード及び印字されるＲＦ−ＩＤシート１０１を識別可能なシートＩＤと対応づけられている。
【００４６】
その後、シート発行装置のリーダ／ライタ部３０において、ＲＦ−ＩＤシート１０１から、ＲＦ−ＩＤシート１０１のＩＣモジュール１０４に書き込まれた、ＲＦ−ＩＤ１０１を識別可能なシートＩＤが読み出されると（ステップＳ１５）、制御部１５０において、記憶部１２２が検索され、ＲＦ−ＩＤシート１０１から読み出されたシートＩＤに対応づけられた、ＲＦ−ＩＤシート１０１のサイズや個別情報印刷領域１０３における印字レイアウト及びエンコードレイアウトが抽出される（ステップＳ１６）。
【００４７】
また、制御部１５０においては、記憶部１２１に記憶された情報が、ステップＳ１６にて記憶部１２２から読み出された情報に基づいて、抽出、編集される（ステップＳ１７）。
【００４８】
ここで、記憶部１２２には、上述したように、ＲＦ−ＩＤシート１０１のサイズや個別情報印刷領域１０３における印字レイアウト、並びにＩＣモジュール１０４に情報を書き込む際のエンコードレイアウトが、ＲＦ−ＩＤシート１０１を識別可能なシートＩＤを対応づけられて記憶されており、リーダ／ライタ部１０３にてＲＦ−ＩＤシート１０１から読み出されたシートＩＤに対応づけられた情報が抽出されることになる。
【００４９】
制御部１５０においては、記憶部１２１に記憶された情報のうち、記憶部１２２から抽出された情報に基づいて、個別情報印刷領域１０３に印字すべき印字情報や、ＩＣモジュール１０４に書き込むべきエンコード情報が抽出され、その後、ＲＦ−ＩＤシート１０１のサイズ及び個別情報印刷領域１０３における印字レイアウトに従って、個別情報印刷領域１０３に印字すべき印字情報が編集され、また、エンコードレイアウトに従って、ＩＣモジュール１０４に書き込むべきエンコード情報が編集されることになる。
【００５０】
制御部１５０にて編集されたエンコード情報はリーダ／ライタ部１３０にてＲＦ−ＩＤシート１０１のＩＣモジュール１０４に書き込まれ（ステップＳ１８）、また、制御部１５０にて編集された印字情報は印字部１４０にてＲＦ−ＩＤシート１０１の個別情報印刷領域１０３に印字される（ステップＳ１９）。
【００５１】
このように本形態においては、情報がエンコード、印字されるＲＦ−ＩＤシートのＩＣモジュールに、そのＲＦ−ＩＤシートを識別可能なシートＩＤが予め書き込まれており、また、ＲＦ−ＩＤシートを発行するシート発行装置にて、ＲＦ−ＩＤシートのサイズ、印刷領域における印字レイアウト、並びにエンコードレイアウトがシートＩＤと対応づけられて記憶されており、シート発行装置において、ＲＦ−ＩＤシートからシートＩＤを読み出し、読み出されたシートＩＤに対応づけられた情報に従って、ＲＦ−ＩＤシートに情報がエンコード、印字されるので、ＲＦ−ＩＤシートをシート発行装置にセットするだけでそのサイズ及び印字レイアウトに応じて情報を印字することができるとともに、内蔵されるＩＣモジュールに予め決められたエンコードレイアウトで情報を書き込むことができる。
【００５２】
また、本形態においては、ＲＦ−ＩＤシートを識別可能なシートＩＤがＲＦ−ＩＤシート１０１のＩＣモジュール１０４に書き込まれているが、シートＩＤをＲＦ−ＩＤシート１０１にバーコード等により印刷しておき、シート発行装置に内蔵あるいは接続されたバーコードリーダによってシートＩＤを読み取り、読み取ったシートＩＤに対応づけられて記憶部１２２に記憶された情報に基づいて、記憶部１２１に記憶された情報をＲＦ−ＩＤシート１０１にエンコード及び印字することも考えられる。
【００５３】
また、本形態においては、ＲＦ−ＩＤシートのサイズ、印刷領域における印字レイアウト、並びにエンコードレイアウトが、ＲＦ−ＩＤシート１０１のＩＣモジュール１０４に書き込まれた識別情報に対応づけられて記憶部１２２に記憶されているが、使用方法によっては、ＲＦ−ＩＤシートのサイズ及び印刷領域における印字レイアウトが共通に決められたものであり、エンコードレイアウトのみが可変であることも考えられ、その場合は、記憶部１２２には、ＩＣモジュール１０４の識別情報に対応づけられてエンコードレイアウトのみが記憶されており、このエンコードレイアウトに関する情報に従ってエンコード情報がＩＣモジュール１０４に書き込まれる。また、同様に、エンコードレイアウトが共通に決められたものであり、ＲＦ−ＩＤシートのサイズ及び印刷領域における印字レイアウトのみが可変であることも考えられ、その場合は、記憶部１２２には、ＩＣモジュール１０４の識別情報に対応づけられてＲＦ−ＩＤシートのサイズ及び印刷領域における印字レイアウトのみが記憶されており、このＲＦ−ＩＤシートのサイズ及び印刷領域における印字レイアウトに関する情報に従って印字情報がＲＦ−ＩＤシート１０１に印字される。
【００５４】
【発明の効果】
以上説明したように本発明においては、非接触状態にて情報の書き込み及び読み出しが可能なＩＣモジュールが内蔵され、該ＩＣモジュールに予め決められたエンコードレイアウトに従ってエンコード情報が書き込まれるとともに、予め決められた印字レイアウトに従って印字情報が印字されるＲＦ−ＩＤシートにおいて、ＩＣモジュールには、エンコードレイアウト及び印字レイアウトに関する情報が書き込まれているため、ＲＦ−ＩＤシートを発行するシート発行装置において、ＩＣモジュールに書き込まれた情報を読み出し、読み出した情報に従ってエンコード情報を編集してＩＣモジュールに書き込み、また、読み出した情報に従って印字情報を編集してＲＦ−ＩＤシートに印字するように構成すれば、ＲＦ−ＩＤシートをシート発行装置にセットするだけでその印字レイアウトに従って印字情報をＲＦ−ＩＤシートに印字することができるとともに、エンコードレイアウトに従ってエンコード情報をＩＣモジュールに書き込むことができる。
【００５５】
また、非接触状態にて情報の書き込み及び読み出しが可能に構成され、識別可能となる識別情報が書き込まれたＩＣモジュールが内蔵され、該ＩＣモジュールに識別情報によって予め決められたエンコードレイアウトに従ってエンコード情報が書き込まれるとともに、識別情報によって予め決められた印字レイアウトに従って印字情報が印字されるＲＦ−ＩＤシートを発行するシート発行装置において、エンコードレイアウト及び印字レイアウトに関する情報を識別情報に対応づけて記憶しておき、ＩＣモジュールから読み出された識別情報に対応づけられて記憶されたエンコードレイアウトに従ってエンコード情報を編集してＩＣモジュールに書き込むとともに、ＩＣモジュールから読み出された識別情報に対応づけられて記憶された印字レイアウトに従って印字情報を編集してＲＦ−ＩＤに印字する構成としたものにおいても、上記同様に、ＲＦ−ＩＤシートをシート発行装置にセットするだけでその印字レイアウトに従って印字情報をＲＦ−ＩＤシートに印字することができるとともに、エンコードレイアウトに従ってエンコード情報を編集してＩＣモジュールに書き込むことができる。
【図面の簡単な説明】
【図１】本発明のＲＦ−ＩＤシートの第１の実施の形態を示す図である。
【図２】図１に示したＲＦ−ＩＤシートを発行するシート発行装置の構成を示すブロック図である。
【図３】図２に示したシート発行装置における図１に示したＲＦ−ＩＤシートの発行処理を説明するためのフローチャートである。
【図４】本発明のＲＦ−ＩＤシートの第２の実施の形態を示す図である。
【図５】図４に示したＲＦ−ＩＤシートを発行するシート発行装置の構成を示すブロック図である。
【図６】図５に示したシート発行装置における図４に示したＲＦ−ＩＤシートの発行処理を説明するためのフローチャートである。
【図７】非接触状態にて情報の書き込み及び読み出しが可能なＩＣモジュールが内蔵されたＲＦ−ＩＤシートの一例を示す図である。
【符号の説明】
１，１０１　　ＲＦ−ＩＤシート
２，１０２　　プレ印刷領域
３，１０３　　個別情報印刷領域
４，１０４　　ＩＣモジュール
１０，１１０　　インターフェース部
２０，１２１，１２２　　記憶部
３０，１３０　　リーダ／ライタ部
４０，１４０　　印字部
５０，１５０　　制御部
【図１】
2004046689.tif 000003
【図２】
2004046689.tif 000004
【図３】
2004046689.tif 000005
【図４】
2004046689.tif 000006
【図５】
2004046689.tif 000007
【図６】
2004046689.tif 000008
【図７】
2004046689.tif 000009